【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
送信設備を介して送信するデジタル信号の変調方法において、
複数のサブチャネルのビット・ローディングをするステップと、
ロードされていない前記複数のサブチャネルの少なくとも１サブチャネルを識別するステップと、
ペイロード・ビットストリームを受信するステップと、
受信したペイロード・ビットストリームを複数のシンボルに符号化するステップであって、前記複数のシンボルは、各々が前記複数サブチャネルのうちの１つのサブチャネルに関連し、前記複数シンボルがデジタル・ペイロード信号として配列されるステップと、
１つのアップサンプリング機能に対応する複数の位相の各々について、前記ペイロード信号及び試行クリップ阻止信号の時間領域和信号を形成するステップであって、前記試行クリップ阻止信号が前記ペイロード信号と直交し、かつ少なくとも１つの未ロードサブチャネルに関連し、かつ前記試行クリップ阻止信号及びペイロード信号が現在の位相に関連したフィルタによりろ波されているステップと、
１つの機能を前記時間領域和信号に適用してクリップされた和信号を導き出すステップと、
前記時間領域和信号と相違する前記クリップされた和信号に応答し、前記現在の位相について前記試行クリップ阻止信号を変更するステップと、
前記複数の位相の各々について前記形成するステップ、前記適用するステップ及び前記変更するステップを反復するステップと、
前記複数の位相の各々について前記時間領域和信号と相違した前記クリップされた和信号に応答し、前記複数の位相について、前記形成するステップ、前記適用するステップ、及び前記変更するステップを反復するステップと、
前記複数の位相の全てにわたり前記時間領域和信号と相違していない前記クリップされた和信号に応答し、前記ペイロード信号及び前記現在の試行クリップ阻止信号の和を処理するステップと
を備えている変調方法。
【請求項２】
離散的なマルチトーン（ＤＭＴ）被変調信号を送信するトランシーバにおいて、
一端を通信施設に接続したアナログ・フロント・エンド機能と、
前記トランシーバをデータ・ソースにインターフェース接続するインターフェースと、
前記インターフェース及び前記アナログ・フロント・エンド機能に接続され、命令ルーチンを実施して一連の動作を実行することにより、前記データ・ソースからのデジタル・ペイロード・ビットストリームを変調し、その被変調信号を前記アナログ・フロント・エンド機能に適用するプログラムラマブル・ロジック回路と、
を備え、前記一連の動作は、
複数のサブチャネルをビット・ローディングするステップと、
未ロードの前記サブチャネルのうちの少なくとも１つのサブチャネルを識別するステップと、
前記ペイロード・ビットストリームを受信するステップと、
受信した前記ペイロード・ビットストリームを複数のシンボルに符号化するステップであって、前記複数のシンボルの各々が前記複数のサブチャネルのうちの１サブチャネルに関連し、前記複数のシンボルがデジタル・ペイロード信号として配列されるステップと、
アップサンプリング機能に対応する複数の位相の各々について、前記ペイロード信号及び試行クリップ阻止信号の時間領域和信号を形成するステップであって、前記試行クリップ阻止信号が前記ペイロード信号に直交すると共に、少なくとも１つの未ロードのサブチャネルと関連され、かつ前記試行クリップ阻止信号及びペイロード信号が前記現在の位相に関連したフィルタによりろ波されるステップと、
前記時間領域和信号に１つの機能を適用してクリップされた和信号を導き出すステップと、
前記時間領域和信号と相違する前記クリップされた和信号に応答し、前記現在の位相に対する前記試行クリップ阻止信号を変更するステップと、
前記複数の位相の各々について前記形成するステップ、前記適用するステップ及び前記変更するステップを反復するステップと、
前記複数の位相の各々について前記時間領域和信号と相違した前記クリップされた和信号に応答し、前記複数の位相について、前記形成するステップ、前記適用するステップ、及び前記変更するステップを反復するステップと、
前記複数の位相の全てにわたり前記時間領域和信号と相違していない前記クリップされた和信号に応答し、前記ペイロード信号及び前記現在の試行クリップ阻止信号の和を処理し、この処理した信号を前記アナログ・フロント・エンド機能に転送するステップと
を備えているトランシーバ。
【手続補正２】
【補正対象書類名】明細書
【補正対象項目名】０１３２
【補正方法】変更
【補正の内容】
【０１３２】
以上の説明に関して更に以下の項を開示する。
（１）送信設備を介して送信する複数のデジタル信号の変調方法において、
複数のサブチャネルのビット・ローディングをするステップと、
ロードされていない前記複数のサブチャネルの少なくとも１つのサブチャネルを識別するステップと、
ペイロード・ビットストリームを受信するステップと、
受信したペイロード・ビットストリームを複数のシンボルに符号化するステップであって、前記複数のシンボルは、各々が前記複数サブチャネルのうちの１つのサブチャネルに関連し、前記複数シンボルがデジタル・ペイロード信号として配列されるステップと、
１つのアップサンプリング機能に対応する複数の位相の各々について、前記ペイロード信号及び試行クリップ阻止信号の時間領域和信号を形成するステップであって、前記試行クリップ阻止信号が前記ペイロード信号と直交し、かつ少なくとも１つの未ロードサブチャネルに関連し、かつ前記試行クリップ阻止信号及びペイロード信号が現在の位相に関連したフィルタによりろ波されているステップと、
１つの機能を前記時間領域和信号に適用してクリップされた和信号を導き出すステップと、
前記時間領域和信号と相違する前記クリップされた和信号に応答し、前記現在位相について前記試行クリップ阻止信号を変更するステップと、
前記複数の位相の各々について前記形成するステップ、前記適用するステップ及び前記変更するステップを反復するステップと、
前記複数の位相の各々について前記時間領域和信号と相違した前記クリップされた和信号に応答し、前記複数の位相について、前記形成するステップ、前記適用するステップ、及び前記変更するステップを反復するステップと、
前記複数の位相の全てにわたり前記時間領域和信号と相違していない前記クリップされた和信号に応答し、前記ペイロード信号及び前記現在の試行クリップ阻止信号の和を処理するステップと
を備えている変調方法。
【手続補正３】
【補正対象書類名】明細書
【補正対象項目名】０１４１
【補正方法】変更
【補正の内容】
【０１４１】
（１０）離散的なマルチトーン（ＤＭＴ）被変調信号を送信するトランシーバにおいて、
一端を通信施設に接続したアナログ・フロント・エンド機能と、
前記トランシーバをデータ・ソースにインターフェース接続するインターフェースと、
前記インターフェース及び前記アナログ・フロント・エンド機能に接続され、命令ルーチンを実施して一連の動作を実行することにより、前記データ・ソースからのデジタル・ペイロード・ビットストリームを変調し、その被変調信号を前記アナログ・フロント・エンド機能に適用するプログラムラマブル・ロジック回路と、
を備え、前記一連の動作は、
複数のサブチャネルをビット・ローディングするステップと、
未ロードの前記サブチャネルのうちの少なくとも１つのサブチャネルを識別するステップと、
前記ペイロード・ビットストリームを受信するステップと、
受信した前記ペイロード・ビットストリームを複数のシンボルに符号化するステップであって、前記複数のシンボルの各々が前記複数のサブチャネルのうちの１つのサブチャネルに関連し、前記複数のシンボルがデジタル・ペイロード信号として配列されるステップと、
アップサンプリング機能に対応する複数の位相の各々について、前記ペイロード信号及び試行クリップ阻止信号の時間領域和信号を形成するステップであって、前記試行クリップ阻止信号が前記ペイロード信号に直交すると共に、少なくとも１つの未ロードのサブチャネルと関連され、かつ前記試行クリップ阻止信号及びペイロード信号が前記現在の位相に関連したフィルタによりろ波されるステップと、
前記時間領域和信号に１つの機能を適用してクリップされた和信号を導き出すステップと、
前記時間領域和信号と相違する前記クリップされた和信号に応答し、前記現在の位相に対する前記試行クリップ阻止信号を変更するステップと、
前記複数の位相の各々について前記形成するステップ、前記適用するステップ及び前記変更するステップを反復するステップと、
前記複数の位相の各々について前記時間領域和信号と相違した前記クリップされた和信号に応答し、前記複数の位相の各々について、前記形成するステップ、前記適用するステップ、及び前記変更するステップを反復するステップと、
前記複数の位相の全てにわたり前記時間領域和信号と相違していない前記クリップされた和信号に応答し、前記ペイロード信号及び前記現在の試行クリップ阻止信号の和を処理し、この処理した信号を前記アナログ・フロント・エンド機能に転送するステップと
を備えているトランシーバ。